(57)【要約】【課題】  ベランダに出ている間に小さい子供が室内からクレセントを操作することを確実に阻止し、しかも、窃盗犯罪を阻止する効果が大きい。【解決手段】  所定長さの矩形外筒体１と、矩形外筒体１にスライド可能に収容される矩形内筒体２と、矩形内筒体２の端部に対して取り外し可能に装着されるクレセント規制部材３と、矩形外筒体１の一面に設けたスライド用開口４と、スライド許容状態とスライド阻止状態とを選択する選択部材５とを有している。【選択図】  図４
2007016443.tif 000002
【特許請求の範囲】
【請求項１】
互いに平行に、かつ隣接してスライド自在なスライド窓枠のうち、クレセントが回動可能に装着されたスライド窓枠のクレセント装着面、クレセント装着面と隣接する面の一方に装着される所定長さの矩形外筒体（１）と、矩形外筒体（１）にスライド可能に収容される矩形内筒体（２）と、矩形内筒体（２）の端部に対して取り外し可能に装着されるクレセント規制部材（３）と、矩形外筒体（１）の一面に設けたスライド用開口（４）と、スライド許容状態とスライド阻止状態とを選択する選択部材（５）とを含んでいることを特徴とするサッシ用クレセント操作阻止装置
【発明の詳細な説明】
【技術分野】
【０００１】
この発明は、アルミニウムサッシ、スチールサッシなどに装着されているクレセントの操作を阻止するための装置に関する。
【背景技術】
【０００２】
従来から、アルミニウムサッシ、スチールサッシなどには、サッシ外枠により互いに平行にスライド自在に支持された複数のスライド窓枠があり、しかも、隣り合うスライド窓枠のうち、外側のスライド窓枠に固定金具を設け、内側のスライド窓枠に回動可能なクレセントを設け、クレセントを固定金具に係合させることによって、両スライド窓枠の相対的スライドを阻止することができる。換言すれば、スライド窓枠に施錠することができる。
【０００３】
また、クレセントには、回動を阻止するロック機構が設けられている。
【発明の開示】
【発明が解決しようとする課題】
【０００４】
上記のアルミニウムサッシ、スチールサッシなどを通ってベランダに出て洗濯物を干している場合、洗濯物を取り込もうとしているような場合に、小さい子供が室内からクレセントを操作して、ベランダから室内へ入れないようにしてしまうおそれがある。
【０００５】
また、近年は、窓ガラスを割ってベランダから室内に侵入する窃盗犯罪が多発しており、上記の構成のアルミニウムサッシ、スチールサッシなどでは、このような窃盗犯罪を阻止する機能を全く有していない。
【０００６】
本発明は上記の問題点に鑑みてなされたものであり、ベランダに出ている間に小さい子供が室内からクレセントを操作することを確実に阻止し、しかも、窃盗犯罪を阻止する効果が大きいサッシ用クレセント操作阻止装置を提供することを目的としている。
【課題を解決するための手段】
【０００７】
この発明のサッシ用クレセント操作阻止装置は、互いに平行に、かつ隣接してスライド自在なスライド窓枠のうち、クレセントが回動可能に装着されたスライド窓枠のクレセント装着面、クレセント装着面と隣接する面の一方に装着される所定長さの矩形外筒体と、矩形外筒体にスライド可能に収容される矩形内筒体と、矩形内筒体の端部に対して取り外し可能に装着されるクレセント規制部材と、矩形外筒体の一面に設けたスライド用開口と、スライド許容状態とスライド阻止状態とを選択する選択部材とを含んでいる。
【０００８】
この発明のサッシ用クレセント操作阻止装置であれば、矩形外筒体に対して矩形内筒体を突出させるようにスライドさせることにより、クレセント規制部材によってクレセントの操作を阻止することができる。したがって、ベランダに出ている間に小さい子供がクレセントを操作して入れなくしてしまうという不都合を未然に防止することができる。
【０００９】
また、窃盗犯罪に対しては、クレセントの操作がクレセント規制部材により阻止されているだけでなく、クレセント規制部材によるクレセント操作阻止を解除するための機構がクレセントから離れた位置にあるので、クレセント近傍のガラスを割っただけでは室内に侵入することができないので、十分な防止効果を達成することができる。
【発明の効果】
【００１０】
この発明は、ベランダに出ている間に小さい子供が室内からクレセントを操作することを確実に阻止し、しかも、窃盗犯罪を効果的に阻止することができるという特有の効果を奏する。
【発明を実施するための最良の形態】
【００１１】
以下、添付図面を参照して、この発明のサッシ用クレセント操作阻止装置の実施の形態を詳細に説明する。
【００１２】
図１はこの発明のサッシ用クレセント操作阻止装置の一実施形態を示す斜視図であり、図２はこの発明のサッシ用クレセント操作阻止装置の一実施形態の主要部を示す縦断面図であり、図３はこの発明のサッシ用クレセント操作阻止装置の一実施形態の主要部を示す拡大縦断面図である。
【００１３】
このサッシ用クレセント操作阻止装置は、所定長さの矩形外筒体１と、矩形外筒体１にスライド可能に収容される矩形内筒体２と、矩形内筒体２の端部に対して取り外し可能に装着されるクレセント規制部材３と、矩形外筒体１の一面に設けたスライド用開口４と、スライド許容状態とスライド阻止状態とを選択する選択部材５とを含んでいる。
【００１４】
クレセント規制部材３は、クレセントの存在に影響されることなく進退可能なものであり、具体的には、クレセントの存在に影響されないように、ほぼ矩形状の切欠部３１を有している。また、図示しない取り付けねじなど（図中に丸で示した部分が取り付けねじなどの装着孔である）によって、矩形内筒体２に対して取り外し可能に装着させるものであり、矩形内筒体２から見た場合の切欠部３１の位置を変更した状態での装着を許容する。
前記スライド用開口４は、所定長さ、所定幅のスライド用開口４１の両端部に選択部材５を収容可能な大径開口４２を有している。また、スライド用開口４１は矩形内筒体２のスライドを許容する方向に伸びている。
【００１５】
前記選択部材５は、矩形内筒体２の所定位置に設けた案内筒体２１に出入り可能に、かつ抜け止め状に保持されたものであり、最も大径の第１部分５１と、第１部分５１に続き、かつ大径開口４２とほぼ等しい外径を有し、かつ矩形外筒体１の肉厚よりも長い第２部分５２と、第２部分５２に続き、かつスライド用開口４１の幅とほぼ等しい外径を有し、かつ矩形外筒体１の肉厚よりも長い第３部分５３と、第３部分５３に続き、かつ大径開口４２より大径の第４部分５４と、突出方向の力を付与するばね５５とを有している。ただし、突出方向の力を付与することができるものであれば、ばね５５に限定されない。
図４はスライド窓枠に対する取り付け状態を示す概略図である。
【００１６】
図４では、サッシ用クレセント操作阻止装置は、クレセント装着面８に対して、両面接着テープ、接着剤などを用いて、矩形外筒体１のスライド用開口４形成面と反対側の面が装着されている。ただし、矩形外筒体１の所定位置に取り付け用のフランジ部材（図示せず）を設け、ねじ止めによる装着を行うことも可能である。また、この装着位置は、矩形内筒体２が最も引き出された状態において、クレセント規制部材３の切欠部にクレセント６が収容されるように設定されている。また、矩形外筒体１のスライド用開口４形成面と反対側の面の厚みは、矩形内筒体２が最も引き出された状態において、クレセント規制部材３がクレセント装着面に摺れることがないような厚みに設定されている。
【００１７】
この状態においては、クレセント６の操作用把持部６１がクレセント規制部材３に当たってそれ以上の回動が阻止されるので、開錠状態、施錠状態がそのまま維持される。
図４に示す状態から矩形内筒体２を押し込む場合には、選択部材５の第３部分５３をスライド用開口４１と正対させ、この状態において、クレセント規制部材３に押し込み方向への力を作用させればよい。この場合には、選択部材５の第３部分５３がスライド用開口４１と係合した状態で矩形内筒体２を押し込み方向に移動させることができ、最終的に、大径開口４２と正対した状態で選択部材５が突出し、第２部分５２と係合するので、矩形内筒体２およびクレセント規制部材３を押し込み状態に保持することができ、この結果、クレセント６が操作可能になる（図５参照）。
【００１８】
図５に示す状態から、押し込み方向の力に代えて引き出し方向の力を作用させる他は上記と同様の操作を行って矩形内筒体２およびクレセント規制部材３を引き出し状態に保持すれば、クレセント６の操作を阻止することができる（図４参照）。
【００１９】
以上の説明から分かるように、小さい子供は、クレセント６を操作することができても、選択部材５の位置はクレセント６よりも十分に高い位置であるから、選択部材５を操作することはできない。
【００２０】
したがって、図４に示すように矩形内筒体２およびクレセント規制部材３を引き出し状態に保持したままでベランダに出ている間に、小さい子供がクレセント６を操作して締め出されるという不都合の発生を未然に防止することができる。
【００２１】
また、窃盗犯罪の防止に関しては、クレセント規制部材３の位置と選択部材５の位置とが十分に離れており、しかも、クレセント規制部材３に対する押し込み方向の力を作用させると同時に、押し込みを許容するように選択部材５を操作することが必要であるから、窃盗犯罪人にとっては操作性が著しく悪く、クレセントを開錠するための所要時間が著しく長くなるので、実質的に高い窃盗犯罪防止効果を達成することができる。
【００２２】
また、サッシによっては、クレセントの装着面が、室内から見て左側の場合と右側の場合とがあり、そのままでは、サッシ用クレセント操作阻止装置を一方の場合に適用できるだけである。ただし、矩形内筒体２から見た場合の切欠部の位置を変更するようにクレセント規制部材３の装着状態を変更すれば、簡単に他方の場合に適用することができる。
【００２３】
また、サッシによっては、クレセントの操作部とクレセント装着面との距離が大きく、そのままではクレセント規制部材３によるクレセント操作阻止を達成できない場合がある。
【００２４】
図６はこのような場合に対処するための構成を示す概略斜視図であり、クレセント規制部材３に対して補助部材７を装着している。具体的には、クレセント規制部材３の切欠部３１に対応する残存部３２に対して嵌合される嵌合部７１と、嵌合状態において、クレセント装着面に対して垂直な方向の幅を増加させる幅増加部７２とを有している。なお、この補助部材７の取り付けは、接着剤などを用いて行ってもよく、取り付け用ねじなどを用いて行ってもよい。なお、図中に丸で示した部分が取り付けねじなどの装着孔である。
【００２５】
したがって、補助部材７を用いることによって、クレセントの操作部とクレセント装着面との距離が大きい場合であっても、確実なクレセント操作阻止を達成することができる。
【００２６】
また、上述のように、サッシによっては、クレセントの装着面が、室内から見て左側の場合と右側の場合とがあり、そのままでは、サッシ用クレセント操作阻止装置を一方の場合に適用できるだけである。ただし、矩形内筒体２から見た場合の切欠部の位置を変更するようにクレセント規制部材３の装着状態を変更すれば、簡単に他方の場合に適用することができる。そして、この場合には、補助部材７の取り付けをも変更することが必要になる。
【００２７】
さらに、前記実施形態において、スライドすることにより当接する部分などにゴムなどの弾性材を設けて衝撃を緩和することが好ましい。
【図面の簡単な説明】
【００２８】
【図１】この発明のサッシ用クレセント操作阻止装置の一実施形態を示す斜視図である。
【図２】この発明のサッシ用クレセント操作阻止装置の一実施形態の主要部を示す縦断面図である。
【図３】この発明のサッシ用クレセント操作阻止装置の一実施形態の主要部を示す拡大縦断面図である。
【図４】スライド窓枠に対する取り付け状態をクレセント操作阻止状態で示す概略図である。
【図５】スライド窓枠に対する取り付け状態をクレセント操作許容状態で示す概略図である。
【図６】クレセント規制部材３に対して補助部材７を装着した状態を示す概略斜視図である。
【符号の説明】
【００２９】
１  矩形外筒体
２  矩形内筒体
３  クレセント規制部材
４  スライド用開口
５  選択部材
【図１】
2007016443.tif 000003
【図２】
2007016443.tif 000004
【図３】
2007016443.tif 000005
【図４】
2007016443.tif 000006
【図５】
2007016443.tif 000007
【図６】
2007016443.tif 000008